(57)【要約】【課題】コ字状の綴じ針における中央部が被止着物の表面に密着し又は被止着物の表面に食い込むおそれのないステープラーを提供する。【解決手段】ベース１１と、綴じ針を収納するフレーム１３と、フレーム内の綴じ針を押える押え板１５と、綴じ針を打ち出す押刃１７を備えたハンドル１９とを一端部２１にて回動自在に軸着し、該ベースには綴じ針をクリンチするアンビル２５を備えさせる。前後方向に長孔を備えたスペーサ７１における該長孔を貫通するネジを前記フレーム１３に螺合させることにより、該フレームにおけるベースに臨む面１３ａに該スペーサを前後方向に位置調節自在、かつ、前後方向における所望の位置に固定可能に取り付ける。【選択図】図１
2008049433.tif 000002
【特許請求の範囲】
【請求項１】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前後方向に長孔を備えたスペーサにおける該長孔を貫通するネジを前記フレームに螺合させることにより、該フレームにおけるベースに臨む面に該スペーサを前後方向に位置調節自在、かつ、前後方向における所望の位置に固定可能に取り付けたことを特徴とするステープラー。
【請求項２】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームの側面には前後方向の長孔を形成し、両縁に立上り部を備えたスペーサにおける該立上り部には該長孔に対応する突起を備えさせ、スペーサの突起をフレームの長孔に摺嵌させることにより、該フレームにおけるベースに臨む面に該スペーサを前後方向に位置調節自在に取り付けたことを特徴とするステープラー。
【請求項３】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームの側面には突起を形成し、両縁に立上り部を備えたスペーサにおける該立上り部には該突起に対応する前後方向の長孔を備えさせ、スペーサの長孔をフレームの突起に摺嵌させることにより、該フレームにおけるベースに臨む面に該スペーサを前後方向に位置調節自在に取り付けたことを特徴とするステープラー。
【請求項４】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームの側面には前後方向の突条を形成し、両縁に立上り部を備えたスペーサにおける該立上り部には該突条に対応する前後方向の溝部を備えさせ、スペーサの溝部をフレームの突条に摺嵌させることにより、該フレームにおけるベースに臨む面に該スペーサを前後方向に位置調節自在に取り付けたことを特徴とするステープラー。
【請求項５】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記ハンドルにはこれを内外に貫通する調整部材を前後方向に位置調節自在に取り付け、該調整部材における前記押え板に臨む内部には作用部を備えさせ、該押え板には該調節部材の作用部に対応する突起を備えさせ、該調整部材の前後方向の位置に応じて該作用部が押え板の突起に係脱することを特徴とするステープラー。
【請求項６】
前記作用部は前後方向に複数の段部を備えていることを特徴とする請求項５に記載のステープラー。
【請求項７】
前記作用部は前後方向の傾斜部を備えていることを特徴とする請求項５に記載のステープラー。
【発明の詳細な説明】
【技術分野】
【０００１】
本発明は、ステープラーに関するものである。
【背景技術】
【０００２】
ステープラーは、書類、紙片等を相互に止着し又は書類、紙片等を壁面等に止着するための簡便な道具として従来より広く使用されている。
【０００３】
本出願においては、ステープラーにより止着される書類、紙片等を「被止着物」という。
【０００４】
ステープラーとしては、例えば特開２００４−１４２０７４号公報に示すように、ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるものが知られている。
【特許文献１】特開２００４−１４２０７４号公報
【発明の開示】
【発明が解決しようとする課題】
【０００５】
上記従来のステープラーにおいては、被止着物を相互に止着し又は被止着物を壁面等に止着する際に、図２７、図２９に示すように、中央部１ａの両端を直角に折曲して一対の脚部１ｂ、１ｂを形成してなるコ字状の綴じ針１における該中央部１ａは、被止着物３の表面に密着し又は被止着物３の表面に食い込む。なお、符号５に示すものは壁におけるプラスターボードの下地、符号７に示すものは該下地５上に固着されたクロスである。
【０００６】
もとより、コ字状の綴じ針１における中央部１ａが被止着物３の表面に密着し又は被止着物３の表面に食い込むことは、被止着物３を確実に止着するという意味では好ましいのであるが、次のような問題を生じさせる。
【０００７】
（イ）コ字状の綴じ針１における中央部１ａが被止着物３の表面に密着し又は被止着物３の表面に食い込んだときには、綴じ針１を抜き取る作業が面倒であり、綴じ針１を抜き取る際に被止着物３又は壁のクロス７に傷が付くおそれがある。換言すれば、上記従来のステープラーは、被止着物３の仮止めには適さないということになる。
【０００８】
（ロ）コ字状の綴じ針１における中央部１ａが被止着物３の表面のみならず、壁のクロス７に食い込むおそれがある。綴じ針１の中央部１ａが被止着物３の表面又は壁のクロス７に食い込んだときには、該被止着物３又はクロス７に綴じ針１の跡が残る。
【０００９】
（ハ）特に、被止着物３又はクロス７が柔らかな場合、綴じ針１の中央部１ａが該被止着物３又はクロス７に食い込み、該被止着物３又はクロス７に綴じ針１の跡が形成され易い。
【００１０】
（ニ）コ字状の綴じ針１における中央部１ａが被止着物３の表面に密着し又は被止着物３の表面に食い込んだときには、被止着物３に綴じ針１の大きな穴が形成されるおそれがある。
【００１１】
本発明は、上記従来のステープラーにおける上述の如き問題を解決しようとしてなされたものである。
【００１２】
即ち、本発明は、コ字状の綴じ針における中央部が被止着物の表面に密着し又は被止着物の表面に食い込むおそれのないステープラーを提供することにより、上記従来のステープラーにおける上述の如き問題を解決するものである。
【課題を解決するための手段】
【００１３】
上記課題を解決するために、本発明は、下記のステープラーを提供するものである。
【００１４】
（１）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前後方向に長孔を備えたスペーサにおける該長孔を貫通するネジを前記フレームに螺合させることにより、該フレームにおけるベースに臨む面に該スペーサを前後方向に位置調節自在、かつ、前後方向における所望の位置に固定可能に取り付けたことを特徴とするステープラー（請求項１）。
【００１５】
（２）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームの側面には前後方向の長孔を形成し、両縁に立上り部を備えたスペーサにおける該立上り部には該長孔に対応する突起を備えさせ、スペーサの突起をフレームの長孔に摺嵌させることにより、該フレームにおけるベースに臨む面に該スペーサを前後方向に位置調節自在に取り付けたことを特徴とするステープラー（請求項２）。
【００１６】
（３）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームの側面には突起を形成し、両縁に立上り部を備えたスペーサにおける該立上り部には該突起に対応する前後方向の長孔を備えさせ、スペーサの長孔をフレームの突起に摺嵌させることにより、該フレームにおけるベースに臨む面に該スペーサを前後方向に位置調節自在に取り付けたことを特徴とするステープラー（請求項３）。
【００１７】
（４）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームの側面には前後方向の突条を形成し、両縁に立上り部を備えたスペーサにおける該立上り部には該突条に対応する前後方向の溝部を備えさせ、スペーサの溝部をフレームの突条に摺嵌させることにより、該フレームにおけるベースに臨む面に該スペーサを前後方向に位置調節自在に取り付けたことを特徴とするステープラー（請求項４）。
【００１８】
（５）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記ハンドルにはこれを内外に貫通する調整部材を前後方向に位置調節自在に取り付け、該調整部材における前記押え板に臨む内部には作用部を備えさせ、該押え板には該調節部材の作用部に対応する突起を備えさせ、該調整部材の前後方向の位置に応じて該作用部が押え板の突起に係脱することを特徴とするステープラー（請求項５）。
【００１９】
（６）前記作用部は前後方向に複数の段部を備えている（請求項６）。
【００２０】
（７）前記作用部は前後方向の傾斜部を備えている（請求項７）。
【００２１】
本出願において、「前」とは、ベースとフレームと押え板とハンドルとが軸着されている一端部から他端部に向かう方向をいい、「後」とは「前」と反対の方向をいうものとする。
【発明の効果】
【００２２】
［請求項１の発明］
フレームに螺合させたネジを緩めることにより、スペーサを前後方向に位置調節することができる。また、スペーサを所望の位置に調節した状態で該ネジを締め付けることにより、スペーサを当該位置に固定することができる。
【００２３】
スペーサを前方に動かした場合、被止着物を止着する際にハンドルをフレーム方向に押圧したときには、フレームの底面は該スペーサを介して被止着物に当接する。従って、綴じ針が被着物に打ち込まれる深さが浅くなる。図３〜図５参照。その結果、コ字状の綴じ針における中央部（１ａ）と被止着物（３）の表面との間に隙間（１ｃ）が生ずる。換言すれば、綴じ針の中央部（１ａ）は被止着物（３）の表面から浮いた状態となる。図２６、図２８参照。
【００２４】
従って、綴じ針は容易に抜き取ることができ、綴じ針を抜き取る際に被止着物又は壁のクロスに傷が付くおそれはない。即ち、ステープラーを被止着物の仮止め用に好ましく使用することができる。
【００２５】
コ字状の綴じ針における中央部が被止着物の表面又は壁のクロスに食い込むことがないため、該被止着物又はクロスに綴じ針の跡が残るおそれはない。
【００２６】
特に、被止着物又はクロスが柔らかな場合であっても、該被止着物又はクロスに綴じ針の跡が形成されることはない。
【００２７】
綴じ針の中央部が被止着物の表面に密着し又は被止着物の表面に食い込むことがないため、被止着物に綴じ針の大きな穴が形成されるおそれはない。
【００２８】
一方、スペーサを後方に動かしたときには、ステープラーは従来のステープラーと同様に使用することができる。図５、図７参照。
【００２９】
［請求項２の発明］
スペーサを所望の位置に固定することができる点を除き、請求項２の発明は前記請求項１の発明と同様の効果を発揮する。
【００３０】
［請求項３の発明］
スペーサを所望の位置に固定することができる点を除き、請求項３の発明は前記請求項１の発明と同様の効果を発揮する。
【００３１】
［請求項４の発明］
スペーサを所望の位置に固定することができる点を除き、請求項４の発明は前記請求項１の発明と同様の効果を発揮する。
【００３２】
［請求項５の発明］
調整部材をその作用部が押え板の突起に係合する位置になるように調整部材を前後方向に位置調節した場合、被止着物を止着する際にハンドルをフレーム方向に押圧したときには、該調整部材の作用部が押え板の突起に係合するため、ハンドルのストロークが短くなる。従って、ハンドルの押刃が綴じ針を打ち出すストロークは短くなる。即ち、ハンドルの押刃が綴じ針を打ち出す際に、押え板の突端と押刃の中央孔における上縁との間に隙間ｄが存する。図１７、図１９、図２５参照。その結果、コ字状の綴じ針における中央部（１ａ）と被止着物（３）の表面との間に隙間（１ｃ）が生ずる。換言すれば、綴じ針の中央部（１ａ）は被止着物（３）の表面から浮いた状態となる。図２６、図２８参照。
【００３３】
従って、請求項５の発明は、上記請求項１の発明と同様の効果を発揮する。
【００３４】
一方、調整部材をその作用部が押え板の突起に係合しない位置になるように調整部材を前後方向に位置調節した場合、ステープラーは従来のステープラーと同様に使用することができる。図１８参照。
【００３５】
［請求項６の発明］
調整部材の作用部は前後方向に複数の段部を備えているため、調整部材の前後方向の位置により、突起に係合する作用部の高さを選択することができる。図２２参照。突起に係合する作用部の高さが異なれば、被止着物を止着する際にハンドルをフレーム方向に押圧したときのハンドルのストロークが異なる。従って、ハンドルの押刃が綴じ針を打ち出すストロークが異なる。換言すれば、ハンドルの押刃が綴じ針を打ち出す際に、押え板の突端と押刃の中央孔における上縁との間に存する隙間ｄ（図１７、図１９、図２５参照。）の大きさが異なる。その結果、調整部材を前後方向に位置調節することにより、コ字状の綴じ針における中央部（１ａ）と被止着物（３）の表面との間に生ずる隙間（１ｃ）の大きさを調節することができる。図２６、図２８参照。
【００３６】
［請求項７の発明］
前記作用部は前後方向の傾斜部を備えているため、調整部材の前後方向の位置により、突起に係合する作用部の高さを無段階に調節することができる。即ち、調整部材を前後方向に位置調節することにより、コ字状の綴じ針における中央部（１ａ）と被止着物（３）の表面との間に生ずる隙間（１ｃ）の大きさを無段階に調節することができる。図２６、図２８参照。
【発明を実施するための最良の形態】
【００３７】
まず、本発明のステープラーが上記従来のステープラーと共通する点について説明する。
【００３８】
本発明のステープラーは、上記従来のステープラーと同様に、ベース１１と、綴じ針１を収納するフレーム１３と、フレーム１３内の綴じ針１を押える押え板１５と、綴じ針１を打ち出す押刃１７を備えたハンドル１９とを一端部２１にて回動自在に軸２３を介して軸着し、該ベース１１には綴じ針１をクリンチするアンビル２５を備えさせ、該フレーム１３内にはガイド軸２７を前後方向に配設し、該ガイド軸２７にはスライダ２９を摺動自在に支持させ、該スライダ２９をバネ３１により常時前方に付勢してなるものである。
【００３９】
押刃１７は、ハンドル１９に固定されたバネ体１８の先端に形成され、該バネ体１８の他端２０は押え板１５を常時フレーム１３方向に付勢している。
【００４０】
ハンドル１９の押刃１７には中央孔４３が形成され、該中央孔４３には押え板１５の突端４５が遊嵌されている。
【００４１】
スライダ２９は、フレーム１３内の綴じ針１を常時前方に押す。
【００４２】
符号３３に示すものは、ハンドル１９をフレーム１３から離れる方向に回動させたときにバネ３１の力に抗してスライダ２９を後方に引く引き杆である。
【００４３】
符号３５に示すものはベース１１に一端を固定したバネであり、符号３７に示すものは被止着物３に打ち込まれた綴じ針１を除去するためのリムーバーである。
【００４４】
以下、本発明のステープラーが上記従来のステープラーと相違する点について説明する。
【００４５】
まず、図１〜図８に示す事例について説明する。
【００４６】
符号７１に示すものはスペーサである。スペーサ７１には前後方向に長孔７３を備えさせる。スペーサ７１は、一例として、両縁に立上り部７１ａを備えている。
【００４７】
スペーサ７１における該長孔７３を貫通するネジ７５をフレーム１３に螺合させることにより、該フレーム１３におけるベース１１に臨む面１３ａには、該スペーサ７１を前後方向に位置調節自在、かつ、前後方向における所望の位置に固定可能に取り付ける。
【００４８】
図６、図７に示す事例は、ベース１１をフレーム１３、押え板１５及びハンドル１９に対して約１８０度回動させて開いた状態で、壁における下地５上のクロス７に被止着物３を止着している状態を示す。
【００４９】
図１０〜図１５は、図１〜図８に示す事例の変形例を示す。
【００５０】
図１０、図１１に示す事例においては、前記フレーム１３の側面１３ｂには前後方向の長孔７７を形成し、両縁に立上り部７１ａを備えたスペーサ７１における該立上り部７１ａには該長孔７７に対応する突起７９を備えさせ、スペーサ７１の突起７９をフレーム１３の長孔７７に摺嵌させることにより、該フレーム１３におけるベース１１に臨む面１３ａに該スペーサ７１を前後方向に位置調節自在に取り付けている。
【００５１】
図１２、図１３に示す事例においては、前記フレーム１３の側面１３ｂには突起８１を形成し、両縁に立上り部７１ａを備えたスペーサ７１における該立上り部７１ａには該突起８１に対応する前後方向の長孔８３を備えさせ、スペーサ７１の長孔８３をフレーム１３の突起８１に摺嵌させることにより、該フレーム１３におけるベース１１に臨む面１３ａに該スペーサ７１を前後方向に位置調節自在に取り付けている。
【００５２】
図１４、図１５に示す事例においては、前記フレーム１３の側面１３ｂには前後方向の突条８５を形成し、両縁に立上り部７１ａを備えたスペーサ７１における該立上り部７１ａには該突条８５に対応する前後方向の溝部８７を備えさせ、スペーサ７１の溝部８７をフレーム１３の突条８５に摺嵌させることにより、該フレーム１３におけるベース１１に臨む面１３ａに該スペーサ７１を前後方向に位置調節自在に取り付けている。
【００５３】
次に、図１６〜図２５に示す事例について説明する。
【００５４】
この事例においては、前記ハンドル１９にはこれを内外に貫通する調整部材９１を前後方向に位置調節自在に取り付け、該調整部材９１における前記押え板１５に臨む内部には作用部９３を備えさせ、該押え板１５には該調節部材９１の作用部９３に対応する突起９５を備えさせ、該調整部材９１の前後方向の位置に応じて該作用部９３が押え板１５の突起９５に係脱するようにしている。
【００５５】
調整部材９１はバネ体１８を含むハンドル１９を内外に貫通している。
【００５６】
即ち、一例として、ハンドル１９とバネ体１８とに前後方向の長孔９７を形成し、該長孔９７に調整部材９１を前後方向に移動自在に支持させる。
【００５７】
押え板１５の突起９５は、例えば押え板１５に突設した板状体９５ａ（図２０）又は略円筒状体９５ｂ（図２１）とする。突起９５は、押え板１５におけるハンドル１９に臨む面１５ａに備えさせる。
【００５８】
作用部９３には、前後方向に複数の段部９３ａ、９３ｂ・・・を備えさせてもよい。
【００５９】
図２２に示す事例においては、作用部９３は二つの段部９３ａ、９３ｂを備えている。
【００６０】
また、作用部９３には、一例として図２３に示すように、前後方向の傾斜部９３’を備えさせてもよい。
【００６１】
図１９に示す事例においては、ベース１１をフレーム１３、押え板１５及びハンドル１９に対して約１８０度回動させて開いた状態で、壁における下地５上のクロス７に被止着物３を止着している。
【図面の簡単な説明】
【００６２】
【図１】本発明によるステープラーの一例を示す斜視図である。
【図２】同上ステープラーを示す断面図である。
【図３】同上ステープラーを示す別の断面図である。
【図４】同上ステープラーの使用状態を示す別の断面図である。
【図５】同上ステープラーの使用状態を示す更に別の断面図である。
【図６】同上ステープラーの使用状態を示す更に別の断面図である。
【図７】同上ステープラーの使用状態を示す更に別の断面図である。
【図８】スペーサの一例を示す斜視図である。
【図９】同上スペーサの断面図である。
【図１０】スペーサの別の一例を示す側面図である。
【図１１】同上スペーサの断面図である。
【図１２】スペーサの更に別の一例を示す側面図である。
【図１３】同上スペーサの断面図である。
【図１４】スペーサの更に別の一例を示す側面図である。
【図１５】同上スペーサの断面図である。
【図１６】本発明によるステープラーの別の一例を示す断面図である。
【図１７】同上ステープラーを示す別の断面図である。
【図１８】同上ステープラーを示す更に別の断面図である。
【図１９】同上ステープラーを示す更に別の断面図である。
【図２０】押え板の突起の一例を示す斜視図である。
【図２１】押え板の突起の別の一例を示す斜視図である。
【図２２】調整部材の別の一例を示す断面図である。
【図２３】調整部材の更に別の一例を示す断面図である。
【図２４】ステープラーの使用状態を概略的に示す正面図である。
【図２５】同上の別の正面図である。
【図２６】コ字状の綴じ針における中央部と被止着物の表面との間に隙間が生じた状態を示す断面図である。
【図２７】コ字状の綴じ針における中央部が被止着物の表面に密着し又は被止着物の表面に食い込んだ状態を示す断面図である。
【図２８】コ字状の綴じ針における中央部と被止着物の表面との間に隙間が生じた状態を示す別の断面図である。
【図２９】コ字状の綴じ針における中央部が被止着物の表面に密着し又は被止着物の表面に食い込んだ状態を示す別の断面図である。
【符号の説明】
【００６３】
１  綴じ針
１ａ  中央部
１ｂ  脚部
１ｃ  隙間
３  被止着物
５  下地
７  クロス
１１  ベース
１３  フレーム
１３ａ  ベースに臨む面
１３ｂ  側面
１５  押え板
１５ａ  ハンドルに臨む面
１７  押刃
１８  バネ体
１９  ハンドル
２０  他端
２１  一端部
２３  軸
２５  アンビル
２７  ガイド軸
２９  スライダ
３１  バネ
３３  引き杆
３５  バネ
３７  リムーバー
４３  中央孔
４５  突端
７１  スペーサ
７１ａ  立上り部
７３  長孔
７５  ネジ
７７  長孔
７９  突起
８１  突起
８３  長孔
８５  突条
８７  溝部
９１  調整部材
９３  作用部
９３ａ  段部
９３ｂ  段部
９３’  傾斜部
９５  突起
９５ａ  板状体
９５ｂ  略円筒状体
９７  長孔
【図１】
2008049433.tif 000003
【図２】
2008049433.tif 000004
【図３】
2008049433.tif 000005
【図４】
2008049433.tif 000006
【図５】
2008049433.tif 000007
【図６】
2008049433.tif 000008
【図７】
2008049433.tif 000009
【図８】
2008049433.tif 000010
【図９】
2008049433.tif 000011
【図１０】
2008049433.tif 000012
【図１１】
2008049433.tif 000013
【図１２】
2008049433.tif 000014
【図１３】
2008049433.tif 000015
【図１４】
2008049433.tif 000016
【図１５】
2008049433.tif 000017
【図１６】
2008049433.tif 000018
【図１７】
2008049433.tif 000019
【図１８】
2008049433.tif 000020
【図１９】
2008049433.tif 000021
【図２０】
2008049433.tif 000022
【図２１】
2008049433.tif 000023
【図２２】
2008049433.tif 000024
【図２３】
2008049433.tif 000025
【図２４】
2008049433.tif 000026
【図２５】
2008049433.tif 000027
【図２６】
2008049433.tif 000028
【図２７】
2008049433.tif 000029
【図２８】
2008049433.tif 000030
【図２９】
2008049433.tif 000031